(57)【要約】【課題】櫛形保持器の円環部が存在するころの端面側における保持器の半径方向に通り抜ける潤滑剤の流れを確保することと、ポケットの隅肉部における応力集中を緩和することである。【解決手段】櫛形保持器４の円周方向で１つおきのポケット５における円環部４ａの側面を、他のポケット５における円環部４ａの側面よりも、対向するころ３の端面から後退させて形成することにより、この円環部４ａの側面を後退させたポケット５でころ３の端面との間に広い隙間δを形成し、櫛形保持器４の半径方向に通り抜ける潤滑剤の流れを確保するとともに、円環部４ａの側面を後退させたポケット５における柱部４ｂの根元の隅肉部の曲率半径Ｒを、対向するころ３の端面の面取り寸法Ｃよりも大きく形成することにより、この隅肉部での応力集中を緩和できるようにした。【選択図】図３
2007247755.tif 000002
【特許請求の範囲】
【請求項１】
内輪と外輪のいずれか一方の軌道輪に、両側に鍔を有する複数の軌道面が設けられ、これらの軌道面に沿って配列される複数列のころを保持する保持器を、軸方向で隣り合う前記複数列のころの端面間に少なくとも１つの円環部を有し、ころの端面と対向する円環部の側面から突出する柱部の間に形成されるポケットに、前記ころを保持する櫛形保持器とした複列ころ軸受において、前記櫛形保持器の少なくとも１つのポケットにおける前記ころの端面と対向する前記円環部の側面を、他のポケットにおける前記円環部の側面よりも、前記ころの端面から後退させて形成したことを特徴とする複列ころ軸受。
【請求項２】
前記円環部の側面をころの端面から後退させて形成したポケットにおける、前記円環部の側面から突出する柱部の根元の隅肉部の曲率半径を、この円環部の側面と対向する前記ころの端面の面取り寸法よりも大きくした請求項１に記載の複列ころ軸受。
【発明の詳細な説明】
【技術分野】
【０００１】
本発明は、櫛形保持器を備えた複列ころ軸受に関する。
【背景技術】
【０００２】
複列ころ軸受には、内輪と外輪のいずれか一方の軌道輪に、両側に鍔を有する複数の軌道面を設け、これらの軌道面に沿って配列される複数列のころを櫛形保持器で保持したものがある（例えば、特許文献１参照）。この櫛形保持器は、軸方向で隣り合う複数列のころの端面間に円環部を有し、ころの端面と対向する円環部の側面から突出する柱部の間に形成されるポケットにころを保持するものであり、１つの円環部の両側の側面から柱部を突出させた一体型のものと、円環部を軸方向に２分割し、２分割した各円環部の片側の側面から柱部を突出させた二体型のものとがある。
【０００３】
特許文献１に記載された複列ころ軸受では、櫛形保持器を一体型のものとし、その円環部の外周面または内周面を案内面として、この案内面を軌道輪の軌道面間に設けられた中鍔の周面で案内するようにし、中鍔の周面に設けられた給脂孔から供給されるグリースを、中鍔の周面と円環部の案内面との間のわずかな隙間から軸受内部に供給するために、中鍔の周面と円環部の案内面のいずれか一方に、周方向へ連続する第１溝部と、第１溝部に連通して軸受内部に開口する第２溝部とを設けている。
【０００４】
【特許文献１】特開２００１−３０４２７１号公報
【発明の開示】
【発明が解決しようとする課題】
【０００５】
上述した従来の複列ころ軸受の櫛形保持器は、各ポケットで円環部の側面と対向するころの端面によって軸方向の移動を規制されており、わずかの軸方向移動でころの端面と当接するように、円環部の側面ところの端面との間にはわずかの隙間しか開けられていない。  
【０００６】
このため、この種の複列ころ軸受では、保持器の円環部が存在するころの端面側における、保持器の内径側から外径側への、または外径側から内径側への潤滑剤の円滑な流れが妨げられる問題がある。このように保持器の半径方向に通り抜ける潤滑剤の流れが妨げられると、軸受内部で潤滑不良が生じやすくなるのみでなく、潤滑剤による軸受内部の冷却作用も損なわれ、軸受の発熱が大きくなる問題がある。なお、特許文献１に記載されたものは、給脂孔から供給されるグリースを第１溝部と第２溝部から軸受内部に供給できるが、保持器の半径方向に通り抜ける潤滑剤の流れを生じさせることはできない。
【０００７】
また、上述した従来の複列ころ軸受は、保持器の円環部の側面とわずかな隙間で転動するころの端面が、各ポケットにおける円環部の側面から突出する柱部の根元の隅肉部と干渉しないように、この隅肉部の曲率半径はころの端面の面取り寸法よりも小さく形成されている。このため、この曲率半径が小さく形成された隅肉部に応力集中が発生しやすく、保持器が損傷しやすい問題もある。
【０００８】
そこで、本発明の課題は、櫛形保持器の円環部が存在するころの端面側における保持器の半径方向に通り抜ける潤滑剤の流れを確保することと、ポケットの隅肉部における応力集中を緩和することである。
【課題を解決するための手段】
【０００９】
上記の課題を解決するために、本発明は、内輪と外輪のいずれか一方の軌道輪に、両側に鍔を有する複数の軌道面が設けられ、これらの軌道面に沿って配列される複数列のころを保持する保持器を、軸方向で隣り合う前記複数列のころの端面間に少なくとも１つの円環部を有し、ころの端面と対向する円環部の側面から突出する柱部の間に形成されるポケットに、前記ころを保持する櫛形保持器とした複列ころ軸受において、前記櫛形保持器の少なくとも１つのポケットにおける前記ころの端面と対向する前記円環部の側面を、他のポケットにおける前記円環部の側面よりも、前記ころの端面から後退させて形成した構成を採用した。
【００１０】
すなわち、櫛形保持器の少なくとも１つのポケットにおけるころの端面と対向する円環部の側面を、他のポケットにおける円環部の側面よりも、ころの端面から後退させて形成することにより、この円環部の側面を後退させたポケットでころの端面との間に広い隙間を形成し、保持器の半径方向に通り抜ける潤滑剤の流れを確保できるようにした。なお、保持器の軸方向移動の規制は、他のポケットの後退していない円環部の側面がころの端面と当接することによって行なわれるので問題ない。
【００１１】
前記円環部の側面をころの端面から後退させて形成したポケットにおける、前記円環部の側面から突出する柱部の根元の隅肉部の曲率半径を、この円環部の側面と対向する前記ころの端面の面取り寸法よりも大きくすることにより、ポケットの隅肉部における応力集中を緩和することができる。
【発明の効果】
【００１２】
本発明の複列ころ軸受は、櫛形保持器の少なくとも１つのポケットにおけるころの端面と対向する円環部の側面を、他のポケットにおける円環部の側面よりも、ころの端面から後退させて形成することにより、この円環部の側面を後退させたポケットでころの端面との間に広い隙間を形成し、保持器の半径方向に通り抜ける潤滑剤の流れを確保できるようにしたので、軸受内部での潤滑不良を防止できるとともに、軸受の発熱を抑制することができる。
【００１３】
前記円環部の側面をころの端面から後退させて形成したポケットにおける、円環部の側面から突出する柱部の根元の隅肉部の曲率半径を、この円環部の側面と対向するころの端面の面取り寸法よりも大きくすることにより、ポケットの隅肉部における応力集中を緩和することができる。
【発明を実施するための最良の形態】
【００１４】
以下、図面に基づき、本発明の実施形態を説明する。図１乃至図３は、第１の実施形態を示す。この複列ころ軸受は、図１に示すように、内輪１の外径面に設けられた２つに分割された軌道面１ａと、外輪２の内径面に設けられた軌道面２ａとの間に、２列のころ３を櫛形保持器４で保持したものであり、内輪１の外径面の各軌道面１ａの両側に、各列のころ３の軸方向移動を規制する外鍔１ｂと共通の内鍔１ｃとが設けられている。
【００１５】
前記櫛形保持器４は、軸方向で隣り合う２列のころ３の端面間に配設された円環部４ａが軸方向に２分割された二体型のものであり、これらの円環部４ａが内鍔１ｃの外径面で案内されるようになっている。図２に示すように、分割された円環部４ａには、片側の側面から突出する複数の柱部４ｂが設けられ、これらの柱部４ｂの間にころ３を保持するポケット５が形成されている。
【００１６】
図３に示すように、前記櫛形保持器４の各円環部４ａの片側にそれぞれ形成されたポケット５は、円周方向に１つおきに、ころ３の端面と対向する円環部４ａの側面が後退させて形成され、ころ３の端面との間に広い隙間δが形成されている。したがって、この広い隙間δを通って、軸受内部の潤滑剤が櫛形保持器４の半径方向に通り抜け、潤滑剤の円滑な流れが確保される。
【００１７】
また、前記円環部４ａの側面を後退させて形成したポケット５における、円環部４ａの側面から突出する柱部４ｂの根元の隅肉部の曲率半径Ｒは、この円環部４ａの側面と対向するころ３の端面の面取り寸法Ｃよりも大きく形成されている。したがって、このポケット５の隅肉部における応力集中を緩和することができる。
【００１８】
図４乃至図６は、第２の実施形態を示す。この複列ころ軸受は、図４に示すように、内輪１の外径面に設けられた軌道面１ａと、外輪２の内径面に設けられた２つに分割された軌道面２ａとの間に、２列のころ３を櫛形保持器４で保持したものであり、外輪２の内径面の各軌道面２ａの両側に、各列のころ３の軸方向移動を規制する外鍔２ｂと共通の内鍔２ｃとが設けられている。外輪２の内鍔２ｃの部分には、軸受内部へ潤滑剤を供給する給脂孔６が設けられている。
【００１９】
前記櫛形保持器４は、軸方向で隣り合う２列のころ３の端面間に配設された円環部４ａが一体とされた一体型のものであり、この円環部４ａが内鍔２ｃの内径面で案内されるようになっている。図５に示すように、円環部４ａには両側の側面から突出する複数の柱部４ｂが設けられ、これらの柱部４ｂの間にころ３を保持するポケット５が形成されている。
【００２０】
図６に示すように、前記櫛形保持器４の円環部４ａの両側に形成されたポケット５は、円周方向に２つおきに、ころ３の端面と対向する円環部４ａの側面が後退させて形成され、第１の実施形態のものと同様に、ころ３の端面との間に広い隙間δが形成されている。なお、外輪２の内鍔２ｃの部分に設けられた給脂孔６は、これらの広い隙間δと断面の一部が軸方向で重なり合っており、給脂孔６から櫛形保持器４の外径側に供給される潤滑剤の一部は、そのまま櫛形保持器４の内径側に通り抜ける。
【００２１】
また、前記円環部４ａの側面を後退させて形成したポケット５における、柱部４ｂの根元の隅肉部の曲率半径Ｒも、第１の実施形態のものと同様に、円環部４ａの側面と対向するころ３の端面の面取り寸法Ｃよりも大きく形成されている。
【図面の簡単な説明】
【００２２】
【図１】第１の実施形態の複列ころ軸受を示す縦断面図
【図２】図１の櫛形保持器を示す斜視図
【図３】図１のころを保持した櫛形保持器の展開平面図
【図４】第２の実施形態の複列ころ軸受を示す縦断面図
【図５】図４の櫛形保持器を示す斜視図
【図６】図４のころを保持した櫛形保持器の展開平面図
【符号の説明】
【００２３】
１  内輪
２  外輪
１ａ、２ａ  軌道面
１ｂ、２ｂ  外鍔
１ｃ、２ｃ  内鍔
３  ころ
４  櫛形保持器
４ａ  円環部
４ｂ  柱部
５  ポケット
６  給脂孔
【図１】
2007247755.tif 000003
【図２】
2007247755.tif 000004
【図３】
2007247755.tif 000005
【図４】
2007247755.tif 000006
【図５】
2007247755.tif 000007
【図６】
2007247755.tif 000008